(57)【要約】【課題】最初は一体に積層されたカードを、同一器具上で、処理済のカードと未処理のカードに、即座に、明確に区別しながら取り扱うことができるカード整理具を提供する。【解決手段】  カード整理具を、等間隔で一対の支柱１ａ、１ｂを有する支持具Ａと、左右に前記支柱１ａ、１ｂに着脱自在な環３ａ、４ａを有するカード部材Ｂからなるものとし、複数枚の前記カード部材Ｂが、それぞれ左右に設けた前記環３ａ、４ａを前記一対の支柱１ａ、１ｂに取り付けた状態で積層して存在しうるものとする。カード部材Ｂを、カード取り付け位置の左右、同一平面内、それぞれ２個の連結した環３ａ、３ｂ、４ａ、４ｂを備えたものとし、外側の環の外端と２個の連結した環の間に、同一線上に、前記支柱を通すことができる切り欠き６を設けたものとしてもよい。【選択図】図１
2007136973.tif 000002
【特許請求の範囲】
【請求項１】
等間隔で一対の支柱を有する支持具と、中央部にカードの一端を保持し、左右に前記支柱に着脱自在な環を有するカード部材からなるものであり、複数枚の前記カード部材が、それぞれ左右に設けた前記環を前記一対の支柱に取り付けた状態で積層して存在しうるものであることを特徴とするカード整理具。
【請求項２】
前記カード部材が左右に設けた環の間でカードの差替えが可能となっていることを特徴とする請求項１のカード整理具。
【請求項３】
前記カード部材が、カード取り付け位置の左右、同一平面内、それぞれ２個の連結した環を備えており、外側の環の外端と２個の連結した環の間に、同一線上に、前記支柱を通すことができる切り欠きを有することを特徴とする請求項１又は２のカード整理具。
【請求項４】
前記環が弾力性ある素材からなるものであり、前記切り欠きの大きさが前記支柱の径より小さく形成されていることを特徴とする請求項３のカード整理具。
【請求項５】
前記支持具の支柱の少なくとも一端を開放状態となっており、この端部を通して、多数の前記カード部材の環を一度に、前記支柱に着脱することができるようになっていることを特徴とする請求項１〜４いずれか１項のカード整理具。
【請求項６】
前記カードが、単語暗記カードであることを特徴とする請求項１〜５いずれか１項のカード整理具。
【請求項７】
前記支柱がリング状に形成されていることを特徴とする請求項１〜６いずれか１項のカード整理具。
【発明の詳細な説明】
【技術分野】
【０００１】
本発明は、カードを未処理のものと処理済のものに、分けながら、検討・整理していくことができるカード整理具、特に、単語暗記カード等のカード学習に適したカード整理具に関する。
【背景技術】
【０００２】
多数枚のカードの一端をリングに通して、一枚ずつカードをめくりながら、カードに示された単語を学習するための単語カードは古くから知られている。しかし、カードが全て同位置に存在するため、何度も繰り返して単語の学習をする場合、すでに覚えたカードとまだ覚えていないカードを区別しながら学習することはできなかった。
そこで、特許文献１のように、カードにリングを通す孔を連通させた状態で２個設け、これらの孔を利用して、リングの貫通位置を必要に応じて前後させることによって、カードの凸凹によって、覚えたカードと覚えていないカードを区別しようとする試みがある。
しかし、このようにカードを前後させただけでは、カードに位置に大きな変化はなく、カードの区別は困難であり、学習にあまり役立つものではなかった。
【特許文献１】実開昭６１−１８２５７１号公報
【発明の開示】
【発明が解決しようとする課題】
【０００３】
本発明は、最初は一体に積層されたカードを、必要に応じて、明確に区別しながら、その場で整理できるカード整理具、特に、処理済のカード（例えば学習し終わったカード）を、未処理のカード（例えば再度学習する必要あるカード）と、明確に区別し、前者のカードに邪魔されることなく、後者のカードのみを即座に取り扱うことができるように、カードを容易に整理できるカード整理具を提供することを課題とする。
【課題を解決するための手段】
【０００４】
本発明では、カード整理具を、等間隔で一対の支柱を有する支持具と、中央部にカードの一端を保持し、左右に前記支柱に着脱自在な環を有するカード部材からなるものとし、複数枚の前記カード部材が、それぞれ左右に設けた前記環を前記一対の支柱に取り付けた状態で積層して存在しうるようにすることによって、前記課題を解決した。
【０００５】
かかるカード整理具では、両支柱間に左右の環を通して積層して存在するカード部材を、カードを処理しながら、例えば処理済のカードは、右の環を支柱から外し、左の支柱にのみカード部材が支持されるようにし、処理済のカードを未処理のカードから離して区別できるものであり、場合によっては、更に再検討可能なカードは左の環を支柱から外し、右の支柱にのみカード部材が支持されるようにすることによって、カードを左の支柱にのみ支持されるもの、両支柱間に支持されるもの、右の支柱にのみ支持されるものと三種に区別して、整理することも可能である。
【０００６】
カード部材における支柱に着脱自在な環とは、環に切り欠きを設け、この切り欠きを通して、支柱に環を取り付け可能とするのが好ましいが、この場合、環が支柱から容易に脱落しないように、環に開閉可能な留め具を取り付けたり、また、環を弾力性ある素材からなるものとし、切り欠きの大きさを支柱の径より小とするのが好ましい。
【０００７】
なお、カードはカード部材に直接取り付けられてもよいが、カード部材の左右に設けた環の間でカードの差替えを可能としてもよい。例えば、カード部材を左右の環の間にカード保持具を取り付けておき、この保持具にカードを取り付け可能とすることにより、目的に応じて、任意にカードを選び、カード部材を繰り返し使用することが可能となる。
【０００８】
保持具としては、カードの一端を任意に着脱できるものであればよく、特にその形状や材質は限られない。例えば、カードの一端を差込み挟持させることができるバネ力を有する二層の板状体からなるものや、カードに設けた孔を適合できる突起を設けた板状体などがいずれも効果的に使用できる。
【０００９】
なお、本発明では、カード部材を、カード取り付け位置の左右、同一平面内、それぞれ２個の連結した環を備えており、外側の環の外端と２個の連結した環の間に、同一線上に、前記支柱を通すことができる切り欠きを有するものとすることにより、カード部材を、処理状態に応じて右又は左に移動するだけで、処理済のカードを、右又は左の支柱にのみ支持されるようにし、支柱間に積層して存在する未処理のカードと即座に区別できるものとすることができる。
【００１０】
この場合、カード部材の左右に設ける環は、弾力性ある樹脂又は金属からなるものとし、環に設けた切り欠きの大きさを支柱の径より小さく形成するのがよい。
【００１１】
また、カード部材と共に使用する支持具は、カード部材を取り付ける一対の支柱が、一定間隔を空けて平行して存在するものであればよく、その大きさや形状は、使用するカードの種類に応じて任意に選ばれればよい。
【００１２】
例えば、カードが単語暗記カードである場合など、机上に置いたり、容易に持ち運びできることが求められる場合には、支柱をリング状にするなどして、コンパクトなものとするのが好ましい。
【００１３】
更に、本発明では、支持具の支柱の少なくとも一端を開放状態とし、この端部を通して、多数の前記カード部材の環を一度に、前記支柱に着脱できるようにしてもよい。なお、この場合、支持具を、一対の支柱からなる支持部材と、該支柱の開放端部を必要に応じて封鎖する留め具からなるものとするのが好ましい。支柱部材の支柱に、その開放端部から環を通してカード部材を装着した後、この開放端部を留め具で封鎖することにより、カード部材は支柱から脱落することなく、安定して取り扱うことができる。
【発明の効果】
【００１４】
本発明のカード整理具は、多数のカードを、処理済のものと未処理のものを、同一の支持具の上で、容易に区別しながら、互いに重なり合わないように整理できるため、単語の暗記などの学習カードとして使用できるだけでなく、種々のメモ類、予定表や伝票等の整理にも非常に有効に使用できる。
【発明を実施するための最良の形態】
【００１５】
次に、図面に示す本発明の一例に従って、本発明を更に詳しく説明する。
この例は、単語学習用のカードに関するものであり、直径５ｃｍのリング状の支柱１a、１ｂを５．５ｃｍの間隔で平行して有する支持具Ａと、カード保持具２の左右に環３ａ、３ｂ、４ａ、４ｂを有し、カード保持具２にカード５が取り付け可能となっているカード部材Ｂからなるものである(図１参照）。
【００１６】
支持具Ａの支柱１ａ、１ｂは、太さ０．５ｃｍのプラスチック製の棒体からなるものであり、カード部材Ｂの環３ａ、３ｂ、４ａ、４ｂは、弾力性ある金属で、内径が０．６ｃｍに形成され、外側の環３ａと４ａとそれぞれ連続して存在する環３ａと３ｂ及び４ａと４ｂの間に、０．４ｃｍの間隔のきり欠き６が、一線上に存在するように設けられている。
【００１７】
また、この例では、カード部材Ｂの左右の環３ａ、３ｂ及び４ａ、４ｂを連結する箇所にカード保持具２が設けられているが、このカード保持具２は、基板７上に、カード５をその間に挟持するように、薄板８を重ねて有するものであり、基板７の上には、カード５に設けた孔１０を係止できるように一対の突起９を設けている(図２参照）。
【００１８】
この装置では、図３のように、支持具Ａの支柱１ａ、１ｂの間にカード部材Ｂを取り付けて使用するものであるが、多数のカード部材Ｂの環３ａ、３ｂ、４ａ、４ｂを、支持具Ａの支柱１ａ、１ｂに嵌めて、カード５を支持具Ａの支柱１ａ、１ｂの間に積層して存在させ、例えば、一のカード５ａの単語を理解し、暗記した場合には、そのカード部材Ｂを右にずらして、右外側の環４ａに嵌っていた支柱１ｂを、それに続く中側の環４ｂに移動させ、それに伴って、左外端の環３ａを支柱１ａから外すことによって、カード５ａを、右の支柱１ｂにのみ支持されるものとし、支柱１ａ、１ｂの間に積層されて残存する他のカードと区別することができる。
【００１９】
このようにして、暗記したカード５ａを、まだ暗記できていないカード５の積層部分から外すことにより、まだ暗記できていないカード５がどの程度、残っているか即座に知ることができ、再度、暗記できていないカード５のみを学習し、中央に積層されているカード５が減るのを楽しみながら、学習を続けることができる(図３参照）。
【００２０】
また、学習しながら、要注意のカード５は左側にずらし、右側の環は支柱１ｂから外れ、左内側の環３ｂが左の支柱１ａに嵌るようにして、要注意のカード５を他のカードから区別するようにしてもよい。
【００２１】
なお、この例では、環３ａ、３ｂ、４ａ、４ｂの切り欠き６の大きさ(間隔）を支柱１ａ、１ｂの径より短くしているので、カード操作中に、環３ａ、３ｂ、４ａ、４ｂが支柱１ａ、１ｂから不用意に脱落することがない。しかし、環３ａ、３ｂ、４ａ、４ｂは弾力性ある素材からなるため、その弾力性を利用して、必要に応じて、切り欠き６に支柱１ａ、１ｂを通し、カードの位置を変えることができるのである。
【００２２】
また、本発明では、図４のように、カード部材Ｂのカード保持具２の左右に取り付けた環３ａ、３ｂを、コイルバネやチェーンなど、伸縮性又は変形可能な線状部材１１に取り付けることにより、環３ａ、３ｂがそれぞれ一個のみ存在するものであっても、該線状部材１１を変形させて、環３ａ、３ｂを支柱１ａ、１ｂに容易に着脱することが可能である。
この場合、環３ａ、３ｂを環の先端が少し重なり合ったコイルバネ状として、環を回転させて、その先端部から支柱１ａ、１ｂを着脱するようにしてもよい。
【００２３】
更に、本発明では、支持具Ａの支柱１ａ、１ｂの少なくとも一端を開放状態とすることによって、カードを装着した多数のカード部材Ｂの環３ａ、３ｂを一度に、支柱１ａ、１ｂに着脱することができる。この場合、目的に応じて、カードの総入れ替えが容易に可能となる。
【００２４】
その一例を図５に示す。この例では、図５の（イ）に示す通り、支持具Ａを支柱部材１２と留め具１３に分離可能としており、留め具１３の四隅に、支柱部材１２の支柱１ａ、１ｂの端部を嵌入可能な環１６を設け、支柱部材１２の支柱１ａ、１ｂの一端部外側に突起１４を設け、他端部には左右の支柱１ａ、１ｂを平行に支持するように、支持棒１５が取り付けられている。
【００２５】
この例では、支柱１ａ、１ｂの開放端部１７からカード部材Ｂの環３ａ、３ｂを通し、その後、支柱１ａ、１ｂの端部を留め具１３の環１４に嵌めて、先の図１の例と同様に使用できるようになっている。円弧状の支柱１ａ、１ｂを弾力性ある素材からなるものとし、円弧部分に圧力を掛け、支柱１ａ、１ｂの先端部をそれぞれ、留め具１３の環１６に嵌め、支柱１ａ、１ｂの突起１４と支持棒１５により、留め具１３の環１６の位置を固定し、安定して、使用できる（図５の（ロ）参照）。
【図面の簡単な説明】
【００２６】
【図１】図１は、本発明の一例を示す斜視図である。
【図２】図２は、図１で使用するカード部材Ｂを示す斜視図である。
【図３】図３は、図１の例における使用状態を示す斜視図である。
【図４】図４は、本発明の他の一例を示す斜視図である。
【図５】本発明の他の一例を示すもので、（イ）は組み立て前の斜視図、（ロ）は組み立て後の斜視図である。
【符号の説明】
【００２７】
１ａ、１ｂ            支柱
２                    カード保持具
３ａ、３ｂ            環
４ａ、４ｂ            環
５                    カード
６                    切り欠き
７                    基板
８                    薄板
９                    突起
１０                  孔
１１                  線状部材
１２                 
支柱部材
１３                 
留め具
１４                 
突起
１５                 
支持棒
１６                  環
１７                  開放端部
【図１】
2007136973.tif 000003
【図２】
2007136973.tif 000004
【図３】
2007136973.tif 000005
【図４】
2007136973.tif 000006
【図５】
2007136973.tif 000007